(57)【要約】【課題】コンテンツで紹介している通信装置の機能を顧客が疑似体験できるようにする。【解決手段】デジタルサイネージ装置１によれば、制御部２３は、スマートウォッチ２が備える機能を紹介するコンテンツの再生に合わせてその機能で使用するデータを通信部２６によりスマートウォッチ２に送信する。【選択図】図５
2018045543.tif 000002
【特許請求の範囲】
【請求項１】
通信装置が備える機能を紹介するコンテンツを再生する再生手段と、
前記コンテンツの再生に合わせてその機能で使用するデータを通信手段により前記通信装置に送信する制御手段と、
を備えるコンテンツ再生装置。
【請求項２】
前記制御手段は、前記コンテンツの再生時間が所定時間となった際に、前記機能で使用するデータを前記通信装置に送信する請求項１に記載のコンテンツ再生装置。
【請求項３】
前記通信装置は、複数の機能を有し、
前記制御手段は、前記複数の機能のうち前記コンテンツで紹介されている前記機能で使用するデータを前記通信装置に送信する請求項１又は２に記載のコンテンツ再生装置。
【請求項４】
前記機能は、前記通信装置とは異なる第２の通信装置で着信した電話を前記通信装置で着信する電話着信機能を含み、
前記制御手段は、前記再生手段により前記第２の通信装置で電話を着信したことを示すコンテンツが再生された際に、前記電話着信機能を前記通信装置で実現するためのアプリケーションの情報及び前記第２の通信装置で電話を着信したことを通知する着信通知情報のデータを前記通信装置に送信する請求項１〜３の何れか一項に記載のコンテンツ再生装置。
【請求項５】
前記再生手段は、前記通信装置から通話が成立したことを示す通話通知情報が受信された場合に、通話中であることを示す通話中コンテンツを再生する請求項４に記載のコンテンツ再生装置。
【請求項６】
前記通信装置から前記通話通知情報が受信された後に音声が受信された場合に、前記受信された音声を出力する音声出力手段を備える請求項５に記載のコンテンツ再生装置。
【請求項７】
前記再生手段は、音声コンテンツを再生し、
前記制御手段は、前記通信装置から前記通話通知情報が受信された後に前記再生手段により再生された音声コンテンツを前記通信装置に送信する請求項５又は６に記載のコンテンツ再生装置。
【請求項８】
音声を入力するための音声入力手段を備え、
前記制御手段は、前記通信装置から前記通話通知情報が受信された後に前記音声入力手段により音声が入力された場合に、その入力された音声を前記通信装置に送信する請求項５〜７の何れか一項に記載のコンテンツ再生装置。
【請求項９】
前記再生手段は、前記通信装置から通話が切断されたことを示す切断通知情報が受信された場合に、通話が切断されたことを示す切断コンテンツを再生する請求項４に記載のコンテンツ再生装置。
【請求項１０】
前記機能は、前記通信装置とは異なる第２の通信装置で受信したメッセージを前記通信装置で受信するメッセージ受信機能を含み、
前記制御手段は、前記再生手段により前記第２の通信装置でメッセージを受信したことを示すコンテンツが再生された際に、前記メッセージ受信機能を前記通信装置で実現するためのアプリケーションの情報及び前記第２の通信装置で受信したメッセージを通知するメッセージ受信通知情報のデータを前記通信装置に送信する請求項１〜３の何れか一項に記載のコンテンツ再生装置。
【請求項１１】
前記再生手段は、前記通信装置にメッセージ受信通知情報を送信した後に前記通信装置からメッセージ情報が受信された場合、前記受信されたメッセージ情報を再生する請求項１０に記載のコンテンツ再生装置。
【請求項１２】
前記機能は、前記通信装置とは異なる第２の通信装置で受信した報知情報を前記通信装置で受信する報知情報受信機能を含み、
前記制御手段は、前記再生手段により前記第２の通信装置で報知情報を受信したことを示すコンテンツが再生された際に、前記報知情報受信機能を前記通信装置で実現するためのアプリケーションの情報及び前記第２の通信装置で受信した報知情報を通知する報知情報受信通知情報のデータを前記通信装置に送信する請求項１〜３の何れか一項に記載のコンテンツ再生装置。
【請求項１３】
通信装置が備える機能を紹介するコンテンツを再生する工程と、
前記コンテンツの再生に合わせてその機能で使用するデータを通信手段により前記通信装置に送信する工程と、
を含むコンテンツ再生方法。
【請求項１４】
通信装置が備える機能を紹介するコンテンツを再生する再生手段を備えるコンテンツ再生装置に用いられるコンピュータを、
前記コンテンツの再生に合わせてその機能で使用するデータを通信手段により前記通信装置に送信する制御手段として機能させるためのプログラム。
【発明の詳細な説明】
【技術分野】
【０００１】
本発明は、コンテンツ再生装置、コンテンツ再生方法及びプログラムに関する。
【背景技術】
【０００２】
従来、広告コンテンツに登場する人物等の輪郭の形状に形成されたスクリーンに当該コンテンツを投影することにより、閲覧者に対して印象を高めることができる映像出力装置が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
特許文献１に記載の映像出力装置は、一方的な映像を出力するだけであり、コンテンツで紹介している商品の機能、例えば、通信装置の機能を顧客が疑似体験をすることはできない。
【０００５】
本発明の課題は、コンテンツで紹介している通信装置の機能を顧客が疑似体験できるようにすることである。
【課題を解決するための手段】
【０００６】
上記課題を解決するため、請求項１に記載の発明のコンテンツ再生装置は、
通信装置が備える機能を紹介するコンテンツを再生する再生手段と、
前記コンテンツの再生に合わせてその機能で使用するデータを通信手段により前記通信装置に送信する制御手段と、
を備える。
【発明の効果】
【０００７】
本発明によれば、コンテンツで紹介している通信装置の機能を顧客が疑似体験することが可能となる。
【図面の簡単な説明】
【０００８】
【図１】本実施形態におけるコンテンツ再生システムの全体構成例を示す図である。
【図２】図１のデジタルサイネージ装置の機能的構成を示すブロック図である。
【図３】図１のデジタルサイネージ装置の概略構成を示す図である。
【図４】図１のスマートウォッチの機能的構成を示すブロック図である。
【図５】操作部により電話着信機能を紹介するコンテンツの再生開始が指示された際に、デジタルサイネージ装置とスマートウォッチにおいて実行される処理の流れを示す図である。
【図６】（ａ）は、着信コンテンツの一例を示す図、（ｂ）は、通話中コンテンツの一例を示す図、（ｃ）は、切断コンテンツの一例を示す図である。
【図７】（ａ）は、着信中画面の一例を示す図、（ｂ）は、通話中画面の一例を示す図である。
【図８】操作部によりメッセージ受信機能を紹介するコンテンツの再生開始が指示された際に、デジタルサイネージ装置とスマートウォッチにおいて実行される処理の流れを示す図である。
【図９】（ａ）は、ステップＳ２２で再生されるメッセージ受信コンテンツの一例を示す図、（ｂ）は、音声メッセージ受信コンテンツの一例を示す図、（ｃ）は、ステップＳ３４で再生されるメッセージ受信コンテンツの一例を示す図である。
【図１０】（ａ）は、ステップＳ２４で表示されるメッセージ受信画面の一例を示す図、（ｂ）は、返信画面の一例を示す図、（ｃ）は、返信済み画面の一例を示す図、（ｄ）は、ステップＳ３６で表示されるメッセージ受信画面の一例を示す図である。
【図１１】操作部により報知情報受信機能を紹介するコンテンツの再生開始が指示された際に、デジタルサイネージ装置とスマートウォッチにおいて実行される処理の流れを示す図である。
【図１２】報知情報受信コンテンツの一例を示す図である。
【図１３】報知情報受信画面の一例を示す図である。
【発明を実施するための形態】
【０００９】
以下、添付図面を参照して本発明に係る実施形態を詳細に説明する。本発明は、図示例に限定されるものではない。
【００１０】
［コンテンツ再生システム１００の構成］
図１は、本発明の実施形態におけるコンテンツ再生システム１００の全体構成を示す図である。コンテンツ再生システム１００は、図１に示すように、デジタルサイネージ装置１とスマートウォッチ２とを備えて構成されている。
【００１１】
［デジタルサイネージ装置１の構成］
図２は、デジタルサイネージ装置１の主制御構成を示すブロック図である。図３は、デジタルサイネージ装置１の概略構成を示す正面図である。
デジタルサイネージ装置１は、例えば、店舗等においてスマートウォッチ２等の通信装置が備える機能を紹介するコンテンツを再生する装置であり、図２に示すように、コンテンツの映像光を照射する投影部２１と、投影部２１から照射された映像光を背面で受けて前面に投影するスクリーン部２２とを備えている。
【００１２】
まず、投影部２１について説明する。
投影部２１は、制御部２３と、プロジェクタ２４と、記憶部２５と、通信部２６と、を備えている。プロジェクタ２４、記憶部２５、通信部２６は、図２に示すように制御部２３に接続されている。
【００１３】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラムとの協働により、図５、図８、図１１のデジタルサイネージ装置１側の処理を始めとする各種処理を実行する。制御部２３は、制御手段として機能する。
【００１４】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。プロジェクタ２４は、画像形成部２７との協働により再生手段として機能する。
【００１５】
記憶部２５は、ＨＤＤ（Hard Disk Drive）や不揮発性の半導体メモリ等により構成される。記憶部２５には、図２に示すように、プログラム記憶部２５１が設けられている。プログラム記憶部２５１には、制御部２３で実行されるシステムプログラムや、各種処理を実行するための処理プログラム、これらのプログラムの実行に必要なデータ等が記憶されている。
【００１６】
また、記憶部２５には、コンテンツ情報記憶部２５２が設けられている。コンテンツ情報記憶部２５２には、コンテンツを識別するためのコンテンツ番号に対応付けて、デジタルサイネージ装置１でコンテンツを再生するためのコンテンツ情報（コンテンツデータ）が記憶されている。コンテンツ情報は、例えば、コンテンツを構成する複数のフレーム画像の画像データ及び各フレーム画像に対応する音声データにより構成されている。
【００１７】
本実施形態において、コンテンツ情報記憶部２５２には、少なくとも、スマートウォッチ２の電話着信機能を紹介するコンテンツのコンテンツ情報、メッセージ受信機能を紹介するコンテンツのコンテンツ情報、及び報知情報受信機能を紹介するコンテンツのコンテンツ情報が記憶されている。これらの各コンテンツのそれぞれは、複数の（一群の）コンテンツから構成されている。各コンテンツ情報には、そのコンテンツで紹介する機能で使用するデータをスマートウォッチ２に送信する時間（イベント発生時間と呼ぶ）として、そのデータを送信するタイミングで再生するコンテンツの再生時間（再生開始からの経過時間）が対応付けて記憶されている。
【００１８】
通信部２６は、例えば、スマートウォッチ２等の外部の通信装置と通信を行うためのインターフェースを有する。通信部２６は、例えば、ブルートゥース（登録商標：Bluetooth）やＷｉ−Ｆｉ（Wireless Fidelity）等の無線通信規格に従って外部の通信装置とデータの送受信を行う。
【００１９】
次に、スクリーン部２２について説明する。
図３に示すように、スクリーン部２２には、画像形成部２７と、画像形成部２７を支持する台座２８とが備えられている。
【００２０】
画像形成部２７は、映像光の照射方向に対して略直交するように配置された、例えばアクリル板などの一枚の透光板に、フィルム状のフレネルレンズが積層された背面投影用のフィルムスクリーンが貼付されて構成されたスクリーンである。画像形成部２７は、プロジェクタ２４から照射された映像光を背面で受けて前面に表示する。
【００２１】
台座２８には、ボタン式の操作部３２と、音声出力部３３と、音声入力部３４と、が設けられている。
【００２２】
操作部３２は、例えば、ボタンＢ１〜ボタンＢ４の４つの操作ボタンを備え、操作ボタンの押下信号を検出して制御部２３に出力する。本実施形態において、ボタンＢ１は、電話着信機能を紹介するコンテンツの再生開始を指示するためのボタンである。ボタンＢ２は、メッセージ受信機能を紹介するコンテンツの再生開始を指示するためのボタンである。ボタンＢ３は、報知情報受信機能を紹介するコンテンツの再生開始を指示するためのボタンである。
【００２３】
音声出力部３３は、スピーカ等により構成され、制御部２３から指示された音声データに基づいて音声を出力する。音声出力部３３は、再生手段、音声出力手段として機能する。
【００２４】
音声入力部３４は、マイク等により構成され、音声を電気信号に変換して制御部２３に出力する。
【００２５】
操作部３２、音声出力部３３、音声入力部３４は、図２に示すように制御部２３に接続されている。
【００２６】
［スマートウォッチ２の構成］
スマートウォッチ２は、ユーザの腕に装着可能な腕装着型の通信装置である。スマートウォッチ２は、図４に示すように、制御部２０１、記憶部２０２、操作部２０３、表示部２０４、通信部２０５、衛星電波受信モジュール２０６、音声入力部２０７、音声出力部２０８等を備えて構成されている。
【００２７】
制御部２０１は、記憶部２０２に記憶されている各種のプログラムを実行して所定の演算や各部の制御を行うＣＰＵとプログラム実行時の作業領域となるメモリとを備えている（いずれも図示略）。制御部２０１は、図示しないクロック信号に基づいて時刻を計測する。また、制御部２０１は、記憶部２０２に記憶されているプログラムとの協働により図５、図８、図１１のスマートウォッチ２側の処理を始めとする各種処理を実行する。
【００２８】
記憶部２０２は、不揮発性の半導体メモリ等により構成される。記憶部２０２には、制御部２０１で実行されるシステムプログラムや各種処理プログラム（アプリケーションプログラム）、これらのプログラムの実行に必要なデータ等が記憶されている。
【００２９】
操作部２０３は、押しボタンスイッチやタッチセンサ等を備えて構成され、ユーザの入力操作を受け付けて、操作内容を電気信号に変換して制御部２０１に出力する。
【００３０】
表示部２０４は、ＬＣＤ（Liquid Crystal Display）等により構成され、制御部２０１からの表示制御信号に従って、画面上に各種表示を行う。
【００３１】
通信部２０５は、例えば、デジタルサイネージ装置１等の外部機器と通信を行うためのインターフェースを有する。通信部２０５は、例えば、ブルートゥース（登録商標）やＷｉ−Ｆｉ等の無線通信規格に従って外部機器とデータの送受信を行う。
【００３２】
衛星電波受信モジュール２０６は、図示略のアンテナを有し、測位衛星からの電波、ここでは、少なくともＧＰＳ（Global Positioning System）に係る衛星（ＧＰＳ衛星）からの電波を捕捉、受信して復調し、時刻を取得したり測位を行ったりする。
【００３３】
音声入力部２０７は、マイク等により構成され、音声を電気信号に変換して制御部２０１に出力する。
【００３４】
音声出力部２０８は、スピーカ等により構成され、制御部２０１から指示された音声データに基づいて音声を出力する。
【００３５】
［コンテンツ再生システム１００の動作］
次に、本実施形態におけるコンテンツ再生システム１００の動作について説明する。
スマートウォッチ２には、スマートフォン（第２の通信装置）と連携することで実現される機能がある。例えば、スマートフォンで着信した電話をスマートウォッチ２で着信する機能（電話着信機能）、スマートフォンで受信したメッセージをスマートウォッチ２で受信する機能（メッセージ受信機能）、スマートフォンで受信した天気予報、地震速報、株価速報等の報知情報をスマートウォッチ２で受信する機能（報知情報受信機能）等が挙げられる。これらの機能におけるスマートウォッチ２の挙動を顧客に体験してもらうことで、その機能についての説明を充実させることができる。しかし、これらの機能は、スマートウォッチ２と連携したスマートフォンにおいて電話を着信したり、メッセージや報知情報を受信したりしなければ実現できないため、店頭で顧客に体験してもらうことは難しい。また、店員の売り場へのスマートフォンの持ち込みが禁止される場合も多い。
【００３６】
そこで、コンテンツ再生システム１００のデジタルサイネージ装置１においては、スマートウォッチ２のスマートフォンと連携することで実現される機能を紹介するコンテンツを再生している際に、その再生に合わせてその機能で使用するデータをスマートウォッチ２に送信して、顧客が店頭にてその機能におけるスマートウォッチ２の挙動を疑似体験できるようにする。以下、デジタルサイネージ装置１を用いたスマートウォッチ２の機能の疑似体験について説明する。
【００３７】
（電話着信機能の疑似体験）
図５は、操作部３２のボタンＢ１が押下され、電話着信機能を紹介するコンテンツの再生開始が指示された際に、デジタルサイネージ装置１とスマートウォッチ２において実行される処理の流れを示す図である。図５に示すデジタルサイネージ装置１側の処理は、制御部２３とプログラム記憶部２５１に記憶されているプログラムとの協働により実行される。スマートウォッチ２側の処理は、制御部２０１と記憶部２０２に記憶されているプログラムとの協働により実行される。
【００３８】
デジタルサイネージ装置１において操作部３２のボタンＢ１が押下されると、制御部２３は、スマートウォッチ２の電話着信機能を紹介するコンテンツの再生を開始する（ステップＳ１）。即ち、制御部２３は、コンテンツ情報記憶部２５２から電話着信機能を紹介するコンテンツのコンテンツ情報を読み出し、読み出したコンテンツ情報の画像データに基づいてプロジェクタ２４により画像形成部２７にコンテンツの画像を投影（表示）させる。また、読み出したコンテンツ情報の音声データに基づいて音声出力部３３によりコンテンツの音声を出力させる。
【００３９】
電話着信機能を紹介するコンテンツでは、例えば、まず、登場人物が「スマートウォッチでは、ペアリングしたスマートフォンで着信した電話を着信することができます。電話に出て通話したり、切断したりすることもできます。」等の電話着信機能の説明を行うコンテンツが再生され、次いで、登場人物が電話をかけている映像のコンテンツが再生される。
【００４０】
次いで、制御部２３は、スマートフォンにおいて電話が着信されたことを示す着信コンテンツＣ１をプロジェクタ２４及び音声出力部３３により再生する（ステップＳ２）。図６（ａ）は、着信コンテンツＣ１の一例を示す図である。この着信コンテンツＣ１を再生するタイミングは、スマートウォッチ２に対するイベント発生時間であるため、制御部２３は、通信部２６によりスマートウォッチ２に起動対象アプリケーション情報（以下、起動対象アプリ情報）及び着信通知情報を送信する（ステップＳ３）。ここで、起動対象アプリ情報は、スマートウォッチ２で電話着信機能を実現するために起動するアプリケーションを識別するための情報である。着信通知情報は、スマートフォンで電話を着信したことを通知する情報であり、発信元の情報等を含む。
【００４１】
スマートウォッチ２において、通信部２０５により起動対象アプリ情報及び着信通知情報を受信すると、制御部２０１は、起動対象アプリを起動して、表示部２０４に着信中画面Ｇ１を表示するとともに、着信通知音を音声出力部２０８により出力する（ステップＳ４）。図７（ａ）は、着信中画面Ｇ１の一例を示す図である。図７（ａ）に示すように、着信中画面Ｇ１には、「着信中」の表示、発信元の情報（ＸＸＸＸ）、通話／切断を選択するためのボタン等が表示されている。
【００４２】
着信中画面Ｇ１から操作部２０３により「通話」が選択されると（ステップＳ５）、制御部２０１は、通信部２０５によりデジタルサイネージ装置１に通話通知情報を送信し（ステップＳ６）、表示部２０４に通話中画面Ｇ２を表示する（ステップＳ７）。通話通知情報は、通話が成立したことを通知する情報である。図７（ｂ）は、通話中画面Ｇ２の一例を示す図である。図７（ｂ）に示すように、通話中画面Ｇ２には、「通話中」の表示、発信元の情報、切断ボタン等が表示されている。
【００４３】
デジタルサイネージ装置１において、通信部２６により通話通知情報が受信されると、制御部２３は、プロジェクタ２４により通話中コンテンツＣ２を再生する（ステップＳ８）。図６（ｂ）は、通話中コンテンツＣ２の一例を示す図である。通話中のコンテンツＣ２を表示している時に、制御部２３は、例えば「こんにちは」等の会話の音声コンテンツを音声出力部３３により出力（再生）し（ステップＳ９）、その再生した音声を通信部２６によりスマートウォッチ２に音声送信する（ステップ１０）。
【００４４】
スマートウォッチ２において、デジタルサイネージ装置１から音声を受信すると、制御部２０１は、受信した音声を通話音声として音声出力部２０８により出力する（ステップＳ１１）。音声入力部２０７により通話音声が入力されると（ステップＳ１２）、制御部２０１は、入力された音声を通信部２０５によりデジタルサイネージ装置１に送信する（ステップＳ１３）。
【００４５】
デジタルサイネージ装置１において、スマートウォッチ２から音声を受信すると、制御部２３は、受信した音声を音声出力部３３により出力する（ステップＳ１４）。
ここで、例えば、店員等が音声入力部３４により通話音声を入力すると（ステップＳ１５）、制御部２３は、入力された音声を通信部２６によりスマートウォッチ２に送信する（ステップＳ１６）。
【００４６】
スマートウォッチ２において、通信部２０５によりデジタルサイネージ装置１から音声を受信すると、制御部２０１は、受信した音声を音声出力部２０８により出力する（ステップＳ１７）。
【００４７】
操作部２０３により切断ボタンが押下されると（ステップＳ１８）、制御部２０１は、デジタルサイネージ装置１に通話が切断されたことを示す切断通知情報を送信する（ステップＳ１９）。
【００４８】
デジタルサイネージ装置１において、通信部２６により切断通知情報を受信すると、制御部２３は、通話が切断されたことを示す切断コンテンツＣ３をプロジェクタ２４により表示し（ステップＳ２０）、電話着信機能を紹介するコンテンツの再生を終了する。図７（ｃ）は、切断コンテンツＣ３の一例を示す図である。
そして、制御部２３は、通常コンテンツ（予め定められたコンテンツ）の再生に戻る。
【００４９】
このように、デジタルサイネージ装置１の制御部２３は、スマートウォッチ２の電話着信機能を紹介するコンテンツの再生中において、スマートフォンで電話を着信したことを示すコンテンツが画像形成部２７及び音声出力部３３により再生された際に、電話着信機能をスマートウォッチ２で実現するためのアプリケーションの情報及びスマートフォンで電話を着信したことを通知する着信通知情報のデータを通信部２６によりスマートウォッチ２に送信する。従って、デジタルサイネージ装置１においてスマートフォンで電話を着信したことを示すコンテンツが再生された際に、スマートウォッチ２において、電話着信機能をスマートウォッチ２で実現するためのアプリケーションを起動して着信通知画面Ｇ１の表示及び着信通知音の出力を行うことができるので、顧客は、スマートフォンで電話を着信した際のスマートウォッチ２の挙動を疑似体験することができる。
【００５０】
また、制御部２３は、スマートウォッチ２から通話が成立したことを示す通話通知情報が受信された場合に、通話中であることを示す通話中コンテンツを再生する。従って、スマートウォッチ２で通話を選択した場合のスマートフォンの挙動を疑似体験することができる。
【００５１】
また、制御部２３は、スマートウォッチ２から通話通知情報が受信された後に音声が受信された場合に、受信された音声を音声出力部３３により出力する。従って、顧客は、スマートフォンで着信した電話に対してスマートウォッチ２で通話音声を入力した場合、どのように相手側に聞こえるかを疑似体験することができる。
【００５２】
また、制御部２３は、スマートウォッチ２から通話通知情報が受信された後に音声入力部３４により通話音声が入力された場合に、その入力された音声をスマートウォッチ２に送信する。従って、スマートフォンで着信した電話に対してスマートウォッチ２で応答した場合の、その応答に対する相手の応答音声をスマートウォッチ２で再生することができ、顧客は、スマートウォッチ２を用いた通話を疑似体験することができる。
【００５３】
また、制御部２３は、スマートウォッチ２から通話が切断されたことを示す切断通知情報が受信された場合に、通話が切断されたことを示す切断コンテンツを再生する。従って、顧客は、スマートウォッチ２で通話を切断した場合のスマートフォンの挙動を確認することができる。
【００５４】
（メッセージ受信機能の疑似体験）
図８は、操作部３２のボタンＢ２が押下され、メッセージ受信機能を紹介するコンテンツの再生開始が指示された際に、デジタルサイネージ装置１とスマートウォッチ２において実行される処理の流れを示す図である。図８に示すデジタルサイネージ装置１側の処理は、制御部２３とプログラム記憶部２５１に記憶されているプログラムとの協働により実行される。スマートウォッチ２側の処理は、制御部２０１と記憶部２０２に記憶されているプログラムとの協働により実行される。
【００５５】
デジタルサイネージ装置１において操作部３２のボタンＢ２が押下されると、制御部２３は、スマートウォッチ２のメッセージ受信機能を紹介するコンテンツの再生を開始する（ステップＳ２１）。即ち、制御部２３は、コンテンツ情報記憶部２５２からメッセージ受信機能を紹介するコンテンツのコンテンツ情報を読み出し、読み出したコンテンツ情報の画像データに基づいてプロジェクタ２４により画像形成部２７にコンテンツの画像を投影（表示）させる。また、読み出したコンテンツ情報の音声データに基づいて音声出力部３３によりコンテンツの音声を出力させる。
【００５６】
メッセージ受信機能を紹介するコンテンツでは、例えば、まず、登場人物が「スマートウォッチでは、ペアリングしたスマートフォンで受信したメッセージを受信することができます。返信もできます。」等のメッセージ受信機能の説明を行うコンテンツが再生され、次いで、登場人物が「こんにちは！！」というメッセージを入力している映像のコンテンツが再生される。
【００５７】
次いで、制御部２３は、スマートフォンにおいてメッセージが受信されたことを示すメッセージ受信コンテンツＣ２１をプロジェクタ２４及び音声出力部３３により再生する（ステップＳ２２）。図９（ａ）は、メッセージ受信コンテンツＣ２１の一例を示す図である。このメッセージ受信コンテンツＣ２１を再生するタイミングは、スマートウォッチ２に対するイベント発生時間であるため、制御部２３は、通信部２６によりスマートウォッチ２に起動対象アプリケーション情報（以下、起動対象アプリ情報）及びメッセージ受信通知情報を送信する（ステップＳ２３）。起動対象アプリ情報は、スマートウォッチ２でメッセージ受信機能を実現するために起動するアプリケーションを識別するための情報である。メッセージ受信通知情報は、スマートフォンで受信したメッセージを通知する情報である。
【００５８】
スマートウォッチ２において、通信部２０５により起動対象アプリ情報及びメッセージ受信通知情報を受信すると、制御部２０１は、起動対象アプリを起動して、表示部２０４にメッセージ受信画面Ｇ２１を表示するとともに、着信通知音を音声出力部２０８により出力する（ステップＳ２４）。図１０（ａ）は、メッセージ受信画面Ｇ２１の一例を示す図である。図１０（ａ）に示すように、メッセージ受信画面Ｇ２１には、受信したメッセージ及び「返信」ボタン等が表示されている。
【００５９】
メッセージ受信画面Ｇ２１から操作部２０３により「返信」が選択されると（ステップＳ２５）、制御部２０１は、表示部２０４に返信画面Ｇ２２を表示する（ステップＳ２６）。図１０（ｂ）は、返信画面Ｇ２２の一例を示す図である。返信画面Ｇ２２には、図１０（ｂ）に示すように「お話しください」とのメッセージ及びマイクマーク等が表示されている。
【００６０】
音声入力部２０７により音声メッセージが入力されると（ステップＳ２７）、制御部２０１は、入力された音声メッセージを音声認識してテキスト変換し（ステップＳ２８）、通信部２０５によりメッセージのテキスト情報をデジタルサイネージ装置１に送信し（ステップＳ２９）、表示部２０４に返信済み画面Ｇ２３を表示する（ステップＳ３０）。図１０（ｃ）は、返信済み画面Ｇ２３の一例を示す図である。
【００６１】
デジタルサイネージ装置１において、通信部２６によりスマートウォッチ２からのメッセージ情報を受信すると、制御部２３は、メッセージを受信したことを示す音声メッセージ受信コンテンツＣ２２をプロジェクタ２４により再生するとともに（ステップＳ３１）、受信したメッセージ情報を音声出力部３３により再生する（ステップＳ３２）。図９（ｂ）に、メッセージ受信コンテンツＣ２２の一例を示す。
【００６２】
ここで、メッセージ受信機能を紹介するコンテンツの再生中において、ボタンＢ１〜Ｂ３は、メッセージ受信ボタンとして機能し、何れかを押下することで、所定のメッセージをスマートフォンで受信したことを示すメッセージ受信コンテンツＣ２３を再生してそのメッセージの受信通知情報をスマートウォッチ２に送信することができる。また、ボタンＢ４は、終了ボタンとして機能し、ボタンＢ４を押下することで、メッセージ受信機能を紹介するコンテンツを終了することができる。
【００６３】
操作部３２のボタンＢ１〜Ｂ３の何れかが押下されると（ステップＳ３３）、制御部２３は、プロジェクタ２４によりスマートフォンでメッセージを受信したことを示すメッセージ受信コンテンツＣ２３を再生し（ステップＳ３４）、通信部２６によりスマートウォッチ２にメッセージ受信通知情報を送信する（ステップＳ３５）。図９（ｃ）は、メッセージ受信コンテンツＣ２３の一例を示す図である。
【００６４】
スマートウォッチ２において、通信部２０５によりメッセージ受信通知情報を受信すると、制御部２０１は、表示部２０４にメッセージ受信画面Ｇ２４を表示するとともに、着信通知音を音声出力部２０８により出力する（ステップＳ３６）。図１０（ｄ）は、メッセージ受信通知画面Ｇ２４の一例を示す図である。
【００６５】
デジタルサイネージ装置１において、ボタンＢ４が押下されると、制御部２３は、メッセージ受信機能を紹介するコンテンツを終了し、通常コンテンツの再生に戻る。
【００６６】
このように、デジタルサイネージ装置１の制御部２３は、スマートウォッチ２のメッセージ受信機能を紹介するコンテンツの再生中において、スマートフォンでメッセージを受信したことを示すコンテンツが画像形成部２７及び音声出力部３３により再生された際に、メッセージ受信機能をスマートウォッチ２で実現するためのアプリケーションの情報及びスマートフォンでメッセージを受信したことを通知するメッセージ受信通知情報のデータを通信部２６によりスマートウォッチ２に送信する。従って、デジタルサイネージ装置１においてスマートフォンでメッセージを受信したことを示すコンテンツが再生された際に、スマートウォッチ２において、メッセージ受信機能をスマートウォッチ２で実現するためのアプリケーションを起動してメッセージ受信画面Ｇ２１の表示及び着信通知音の出力を行うことができるので、顧客は、スマートフォンでメッセージを受信した際のスマートウォッチ２の挙動を疑似体験することができる。
【００６７】
また、スマートウォッチ２にメッセージ受信通知情報を送信した後にスマートウォッチ２からメッセージ情報が受信された場合、制御部２３は、受信されたメッセージ情報を再生する。従って、顧客は、スマートフォンで受信したメッセージ対して返信した場合、返信したメッセージが相手側においてどのように再生されるかを疑似体験することができる。
【００６８】
（報知情報受信機能の疑似体験）
図１１は、操作部３２のボタンＢ３が押下され、報知情報受信機能を紹介するコンテンツの再生開始が指示された際に、デジタルサイネージ装置１とスマートウォッチ２において実行される処理の流れを示す図である。図１１に示すデジタルサイネージ装置１側の処理は、制御部２３とプログラム記憶部２５１に記憶されているプログラムとの協働により実行される。スマートウォッチ２側の処理は、制御部２０１と記憶部２０２に記憶されているプログラムとの協働により実行される。
【００６９】
デジタルサイネージ装置１において操作部３２のボタンＢ３が押下されると、制御部２３は、スマートウォッチ２の報知情報受信機能を紹介するコンテンツの再生を開始する（ステップＳ４１）。即ち、制御部２３は、コンテンツ情報記憶部２５２から報知情報受信機能を紹介するコンテンツのコンテンツ情報を読み出し、読み出したコンテンツ情報の画像データに基づいてプロジェクタ２４により画像形成部２７にコンテンツの画像を投影（表示）させる。また、読み出したコンテンツ情報の音声データに基づいて音声出力部３３によりコンテンツの音声を出力させる。
【００７０】
報知情報受信機能を紹介するコンテンツでは、例えば、まず、登場人物が「スマートウォッチでは、ペアリングしたスマートフォンで受信した天気予報等の報知情報を受信することができます。」等の報知情報受信機能の説明を行うコンテンツが再生される。次いで、登場人物が「７時になりました。天気予報の時間です。」等の、天気予報の時刻になったことを伝えるコンテンツが再生される。
【００７１】
次いで、制御部２３は、スマートフォンにおいて報知情報（ここでは天気予報）が受信されたことを示す報知情報受信コンテンツＣ４１をプロジェクタ２４及び音声出力部３３により再生する（ステップＳ４２）。図１２は、報知情報受信コンテンツＣ４１の一例を示す図である。
この報知情報受信コンテンツＣ４１を再生するタイミングは、スマートウォッチ２に対するイベント発生時間であるため、制御部２３は、通信部２６によりスマートウォッチ２に起動対象アプリケーション情報（以下、起動対象アプリ情報）及び報知情報受信通知情報を送信する（ステップＳ４３）。起動対象アプリ情報は、スマートウォッチ２で報知情報受信機能を実現するために起動するアプリケーションを識別するための情報である。報知情報受信通知情報は、スマートフォンで受信した報知情報を通知する情報である。
【００７２】
スマートウォッチ２において、通信部２０５により起動対象アプリ情報及び報知情報受信通知情報を受信すると、制御部２０１は、起動対象アプリを起動して、表示部２０４に報知情報受信画面Ｇ４１を表示するとともに、着信通知音を音声出力部２０８により出力する（ステップＳ４４）。図１３は、報知情報受信画面Ｇ４１の一例を示す図である。報知情報受信画面Ｇ４１には、図１３に示すように、受信した報知情報が表示される。
【００７３】
所定時間が経過すると、デジタルサイネージ装置１の制御部２３は、報知情報受信機能を紹介するコンテンツを終了し、通常コンテンツの再生に戻る。
【００７４】
このように、デジタルサイネージ装置１の制御部２３は、スマートウォッチ２の報知情報受信機能を紹介するコンテンツの再生中において、スマートフォンで報知情報を受信したことを示すコンテンツが画像形成部２７及び音声出力部３３により再生された際に、報知情報受信機能をスマートウォッチ２で実現するためのアプリケーションの情報及びスマートフォンで報知情報を受信したことを通知する報知情報受信通知情報のデータを通信部２６によりスマートウォッチ２に送信する。従って、デジタルサイネージ装置１においてスマートフォンで報知情報を受信したことを示すコンテンツが再生された際に、スマートウォッチ２において、報知情報受信機能をスマートウォッチ２で実現するためのアプリケーションを起動して報知情報受信画面Ｇ４１の表示及び着信通知音の出力を行うことができるので、顧客は、スマートフォンで報知情報を受信した際のスマートウォッチ２の挙動を疑似体験することができる。
【００７５】
以上説明したように、デジタルサイネージ装置１によれば、制御部２３は、スマートウォッチ２が備える機能を紹介するコンテンツの再生に合わせてその機能で使用するデータを通信部２６によりスマートウォッチ２に送信する。
従って、デジタルサイネージ装置１で紹介しているスマートウォッチ２の機能を顧客が疑似体験することが可能となり、宣伝効果を向上させることができる。
【００７６】
また、制御部２３は、コンテンツの再生時間が所定時間となった際に、コンテンツで紹介している機能で使用するデータをスマートウォッチ２に送信する。従って、所定のコンテンツが再生されているタイミングで、スマートウォッチ２において、デジタルサイネージ装置１で紹介している機能を実現することができる。
【００７７】
また、制御部２３は、スマートウォッチ２が備える複数の機能のうち再生中のコンテンツで紹介されている機能で使用するデータをスマートウォッチ２に送信する。従って、再生されているコンテンツで紹介されている機能を顧客が疑似体験することが可能となる。
【００７８】
なお、上記実施形態における記述内容は、本発明に係るコンテンツ再生システムの好適な一例であり、これに限定されるものではない。
【００７９】
例えば、上記実施形態においては、デジタルサイネージ装置１において、スマートウォッチ２で受信したメッセージを音声出力することとして説明したが、テキストで出力することとしてもよい。
【００８０】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等を備える表示装置に適用しても同様の効果を奏することができ、この例に限定されない。
【００８１】
その他、コンテンツ再生システムを構成する各装置の細部構成及び細部動作に関しても、発明の趣旨を逸脱することのない範囲で適宜変更可能である。
【００８２】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
通信装置が備える機能を紹介するコンテンツを再生する再生手段と、
前記コンテンツの再生に合わせてその機能で使用するデータを通信手段により前記通信装置に送信する制御手段と、
を備えるコンテンツ再生装置。
＜請求項２＞
前記制御手段は、前記コンテンツの再生時間が所定時間となった際に、前記機能で使用するデータを前記通信装置に送信する請求項１に記載のコンテンツ再生装置。
＜請求項３＞
前記通信装置は、複数の機能を有し、
前記制御手段は、前記複数の機能のうち前記コンテンツで紹介されている前記機能で使用するデータを前記通信装置に送信する請求項１又は２に記載のコンテンツ再生装置。
＜請求項４＞
前記機能は、前記通信装置とは異なる第２の通信装置で着信した電話を前記通信装置で着信する電話着信機能を含み、
前記制御手段は、前記再生手段により前記第２の通信装置で電話を着信したことを示すコンテンツが再生された際に、前記電話着信機能を前記通信装置で実現するためのアプリケーションの情報及び前記第２の通信装置で電話を着信したことを通知する着信通知情報のデータを前記通信装置に送信する請求項１〜３の何れか一項に記載のコンテンツ再生装置。
＜請求項５＞
前記再生手段は、前記通信装置から通話が成立したことを示す通話通知情報が受信された場合に、通話中であることを示す通話中コンテンツを再生する請求項４に記載のコンテンツ再生装置。
＜請求項６＞
前記通信装置から前記通話通知情報が受信された後に音声が受信された場合に、前記受信された音声を出力する音声出力手段を備える請求項５に記載のコンテンツ再生装置。
＜請求項７＞
前記再生手段は、音声コンテンツを再生し、
前記制御手段は、前記通信装置から前記通話通知情報が受信された後に前記再生手段により再生された音声コンテンツを前記通信装置に送信する請求項５又は６に記載のコンテンツ再生装置。
＜請求項８＞
音声を入力するための音声入力手段を備え、
前記制御手段は、前記通信装置から前記通話通知情報が受信された後に前記音声入力手段により音声が入力された場合に、その入力された音声を前記通信装置に送信する請求項５〜７の何れか一項に記載のコンテンツ再生装置。
＜請求項９＞
前記再生手段は、前記通信装置から通話が切断されたことを示す切断通知情報が受信された場合に、通話が切断されたことを示す切断コンテンツを再生する請求項４に記載のコンテンツ再生装置。
＜請求項１０＞
前記機能は、前記通信装置とは異なる第２の通信装置で受信したメッセージを前記通信装置で受信するメッセージ受信機能を含み、
前記制御手段は、前記再生手段により前記第２の通信装置でメッセージを受信したことを示すコンテンツが再生された際に、前記メッセージ受信機能を前記通信装置で実現するためのアプリケーションの情報及び前記第２の通信装置で受信したメッセージを通知するメッセージ受信通知情報のデータを前記通信装置に送信する請求項１〜３の何れか一項に記載のコンテンツ再生装置。
＜請求項１１＞
前記再生手段は、前記通信装置にメッセージ受信通知情報を送信した後に前記通信装置からメッセージ情報が受信された場合、前記受信されたメッセージ情報を再生する請求項１０に記載のコンテンツ再生装置。
＜請求項１２＞
前記機能は、前記通信装置とは異なる第２の通信装置で受信した報知情報を前記通信装置で受信する報知情報受信機能を含み、
前記制御手段は、前記再生手段により前記第２の通信装置で報知情報を受信したことを示すコンテンツが再生された際に、前記報知情報受信機能を前記通信装置で実現するためのアプリケーションの情報及び前記第２の通信装置で受信した報知情報を通知する報知情報受信通知情報のデータを前記通信装置に送信する請求項１〜３の何れか一項に記載のコンテンツ再生装置。
＜請求項１３＞
通信装置が備える機能を紹介するコンテンツを再生する工程と、
前記コンテンツの再生に合わせてその機能で使用するデータを通信手段により前記通信装置に送信する工程と、
を含むコンテンツ再生方法。
＜請求項１４＞
通信装置が備える機能を紹介するコンテンツを再生する再生手段を備えるコンテンツ再生装置に用いられるコンピュータを、
前記コンテンツの再生に合わせてその機能で使用するデータを通信手段により前記通信装置に送信する制御手段として機能させるためのプログラム。
【符号の説明】
【００８３】
１００  コンテンツ再生システム
１  デジタルサイネージ装置
２３  制御部
２４  プロジェクタ
２５  記憶部
２５１  プログラム記憶部
２５２  コンテンツ情報記憶部
２６  通信部
３２  操作部
３３  音声出力部
３４  音声入力部
２  スマートウォッチ
２０１  制御部
２０２  記憶部
２０３  操作部
２０４  表示部
２０５  通信部
２０６  衛星電波受信モジュール
２０７  音声入力部
２０８  音声出力部
【図１】
2018045543.tif 000003
【図２】
2018045543.tif 000004
【図３】
2018045543.tif 000005
【図４】
2018045543.tif 000006
【図５】
2018045543.tif 000007
【図６】
2018045543.tif 000008
【図７】
2018045543.tif 000009
【図８】
2018045543.tif 000010
【図９】
2018045543.tif 000011
【図１０】
2018045543.tif 000012
【図１１】
2018045543.tif 000013
【図１２】
2018045543.tif 000014
【図１３】
2018045543.tif 000015